(57)【要約】【課題】本考案は、紙コップ等のコップに熱い飲み物を入れた場合に熱が伝わり難くすると共に絵柄や宣伝広告等の印刷を容易に施すことができるコップホルダーを提供する。【解決手段】コップホルダー１０は紙シート１１で逆四角錐筒状に折り曲げられて形成されている。このコップホルダー１０には紙コップ１が嵌め込まれるコップ嵌入部１２が上下方向に向って貫通形成されている。従って、コップホルダー１０の上端部１０Ａからコップ嵌入部１２の中に紙コップ１を嵌め込むと、紙コップ１はコップホルダー１０に嵌められた状態でコップホルダー１０は紙コップ１と一体になる。また、紙コップ１をコップ嵌入部１２に嵌め込むとコップホルダー１０の第１折線１６、第２折線２０、第３折線２４、第４折線２８に対応する部分は紙コップ１と接触しない隙間部３４が形成される。【選択図】図１
0003123133.tif 000002
【実用新案登録請求の範囲】
【請求項１】
コップを嵌め込むことによりコップと一体になる逆角錐筒状のコップホルダーであって、前記コップが嵌め込まれるコップ嵌入部と、このコップ嵌入部に前記コップを嵌入した場合にコップとコップホルダーの間に形成される隙間部と、を有していることを特徴とするコップホルダー。
【請求項２】
コップを嵌め込むことによりコップと一体になる逆角錐筒状のコップホルダーであって、折線を介して連続形成されると共に上端部が下端部より幅広な台形状に形成された複数の側板部と、これら側板部に囲まれて形成されると共に前記コップが嵌め込まれるコップ嵌入部と、このコップ嵌入部にコップを嵌入した場合に前記折線に対応する部分に形成される隙間部と、を有していることを特徴とするコップホルダー。
【請求項３】
コップを嵌め込むことによりコップと一体になる逆角錐筒状のコップホルダーであって、折線を介して連続形成されると共に上端部が下端部より幅広な台形状に形成された複数の側板部と、これら側板部に囲まれて貫通形成されると共に前記コップが嵌め込まれるコップ嵌入部と、このコップ嵌入部にコップを嵌入した場合に前記折線に対応する部分に形成される隙間部と、を有していることを特徴とするコップホルダー。
【請求項４】
コップを嵌め込むことによりコップと一体になる逆四角錐筒状のコップホルダーであって、折線を介して連続形成されると共に上端部が下端部より幅広な台形状に形成された第１側板部、第２側板部、第３側板部、第４側板部と、これら第１側板部と第２側板部と第３側板部と第４側板部で囲まれて貫通形成されると共に前記コップが嵌め込まれるコップ嵌入部と、このコップ嵌入部にコップを嵌入した場合に前記折線に対応する部分に形成される隙間部と、を有していることを特徴とするコップホルダー。
【請求項５】
前記コップホルダーをシート状の紙で形成したことを特徴とする請求項１、請求項２、請求項３、請求項４記載のコップホルダー。
【考案の詳細な説明】
【技術分野】
【０００１】
本考案は、紙コップ、プラスチックコップ等のコップを嵌め込むことによりコップと一体にして使用するコップホルダーに関する。
【背景技術】
【０００２】
従来よりガラス製や陶器製のコップ等に比べて安価で取り扱いが容易で、使い捨てできる紙コップが多く利用されている。
ところで、前記紙コップはロール紙で製造されるため、紙コップに絵柄や宣伝広告等の印刷をする場合においては紙コップの生産ロットが大きい場合は印刷代が経済的であるが、紙コップの生産ロットが小さい場合は印刷代が割高になり、これにより絵柄や宣伝広告等の印刷を施した紙コップのコストが高くなるという不具合がある。
また、前記紙コップは紙で一体形成されているためホットコーヒーやスープ等の熱い飲み物を入れた前記紙コップを直接手で持つと飲み物の熱が紙コップを通して手の指に伝わり、紙コップを持っていられない場合がある。
そこで、前記紙コップを嵌め込んで使用する片ダン（ダンボールの波形の中芯紙の片側にのみ紙を貼付したタイプの紙）と称される紙で円筒状に形成されたコップホルダーが提案されている。
このコップホルダーは片ダンの波型の中芯紙の存在により、紙コップに熱い飲み物を入れても熱が手の指に伝わり難くすることができる。
しかし、この片ダンは薄い茶色であるため片ダンで形成したコップホルダーは色彩的にカラフルさに欠けると共に片ダンには波形の中芯紙があるため絵柄や宣伝広告等を印刷し難いという不具合がある。
【考案の開示】
【考案が解決しようとする課題】
【０００３】
本考案は、上記事実に鑑みなされたものであり紙コップ等のコップに熱い飲み物を入れた場合に熱が伝わり難くすることができると共に絵柄や宣伝広告等の印刷を容易に施すことができるコップホルダーを提供するものである。
【課題を解決するための手段】
【０００４】
請求項１の考案は、コップを嵌め込むことによりコップと一体になる逆角錐筒状のコップホルダーであって、前記コップが嵌め込まれるコップ嵌入部と、このコップ嵌入部に前記コップを嵌入した場合にコップとコップホルダーの間に形成される隙間部と、を有していることを特徴としている。
請求項２の考案は、コップを嵌め込むことによりコップと一体になる逆角錐筒状のコップホルダーであって、折線を介して連続形成されると共に上端部が下端部より幅広な台形状に形成された複数の側板部と、これら側板部に囲まれて形成されると共に前記コップが嵌め込まれるコップ嵌入部と、このコップ嵌入部にコップを嵌入した場合に前記折線に対応する部分に形成される隙間部と、を有していることを特徴としている。
請求項３の考案は、コップを嵌め込むことによりコップと一体になる逆角錐筒状のコップホルダーであって、折線を介して連続形成されると共に上端部が下端部より幅広な台形状に形成された複数の側板部と、これら側板部に囲まれて貫通形成されると共に前記コップが嵌め込まれるコップ嵌入部と、このコップ嵌入部にコップを嵌入した場合に前記折線に対応する部分に形成される隙間部と、を有していることを特徴としている。
請求項４の考案は、コップを嵌め込むことによりコップと一体になる逆四角錐筒状のコップホルダーであって、折線を介して連続形成されると共に上端部が下端部より幅広な台形状に形成された第１側板部、第２側板部、第３側板部、第４側板部と、これら第１側板部と第２側板部と第３側板部と第４側板部で囲まれて貫通形成されると共に前記コップが嵌め込まれるコップ嵌入部と、このコップ嵌入部にコップを嵌入した場合に前記折線に対応する部分に形成される隙間部と、を有していることを特徴としている。
請求項５の考案は、前記コップホルダーをシート状の紙で形成したことを特徴としている。
【考案の効果】
【０００５】
本考案のコップホルダーは、熱い飲み物を入れたコップを持つ場合に熱が手の指に伝わり難いので、熱い飲み物を入れたコップを容易に持つことができるという優れた効果を有する。
本考案のコップホルダーは、絵柄や宣伝広告等の印刷を容易に行うことができるので無地や既製品のコップでもコップホルダーを使用することにより経済的に宣伝広告等をすることができるという優れた効果を有する。
また、本考案のコップホルダーは、安定した状態でコップをテーブル等の上に置くことができるという優れた効果を有する。
【考案を実施するための最良の形態】
【０００６】
考案を実施するために最良の形態の例として以下のような実施例を示す。
【実施例１】
【０００７】
図１〜図５には本考案のコップホルダーの一実施例が示されている。なお、この実施例ではコップとして紙コップを例にして説明する。
図１及び図２に示されるように、本考案のコップホルダー１０は厚紙で製造された紙シート１１（図３参照）で逆四角錐筒状に折り曲げられて形成されている。
図４に示されるように、このコップホルダー１０には紙コップ１が嵌め込まれるコップ嵌入部１２が上下方向に向って貫通形成されている。また、前記コップホルダー１０の上端部１０Ａの内側の差し渡し寸法Ｘ（図１参照）は前記コップ１の上端部１Ａの外径寸法より小さく、コップ１の下端部１Ｂの外径寸法より大きく形成されている。
従って、前記コップホルダー１０の上端部１０Ａからコップ嵌入部１２の中に紙コップ１を嵌め込むと、図４に示されるように前記紙コップ１はコップホルダー１０に嵌められた状態でコップホルダー１０は紙コップ１と一体になるようになっている。
図３には前記コップホルダー１０が形成される前記紙シート１１が展開図で示されている。この紙シート１１の左端部には第１側板部１４が形成されている。この第１側板部１４の右側には第１折線１６を介して第２側板部１８が連続して形成されている。この第２側板部１８の右側には第２折線２０を介して第３側板部２２が連続して形成されている。この第３側板部２２の右側には第３折線２４を介して第４側板部２６が連続して形成されている。この第４側板部２６の右側には第４折線２８を介して接着剤（図示せず）が塗布される糊代片部３０が連続して形成されている。
従って、紙シート１１を第１折線１６、第２折線２０、第３折線２４、第４折線２８で折り曲げて接着剤を塗布した糊代片部３０を前記第１側板部１４に接着すれば図１及び図２に示されるような四角錐筒状のコップホルダー１０が形成される。
なお、図３に示されるように、この実施例では前記第１側板部１４の上端部１４Ａと前記第２側板部１８の上端部１８Ａと前記第３側板部２２の上端部２２Ａと前記第４側板部２６の上端部２６Ａの幅寸法Ａは全て５３ｍｍに統一して形成されている。また、前記第１側板部１４の下端部１４Ｂと前記第２側板部１８の下端部１８Ｂと前記第３側板部２２の下端部２２Ｂと前記第４側板部２６の下端部２６Ｂの幅寸法Ｂは全て４４ｍｍに統一して形成されている。また、前記第１側板部１４と前記第２側板部１８と前記第３側板部２２と前記第４側板部２６の高さ寸法Ｃは７８ｍｍで全て統一されている。
従って、図１及び図２に示されるように前記コップホルダー１０は上端部１０Ａよりも下端部１０Ｂの方が窄むように形成され、図４に示されるようにコップ嵌入部１２に紙コップ１を入れると紙コップ１は嵌め込まれるようになっている。
また、前記コップホルダー１０は四角錐筒状に形成されているので、紙コップ１をコップ嵌入部１２に嵌め込むと図４及び図５に示されるようにコップホルダー１０の第１折線１６、第２折線２０、第３折線２４、第４折線２８に対応する部分は紙コップ１と接触しない隙間部３４が形成されるようになっている。
【０００８】
次に、実施例のコップホルダー１０を使用する場合を例にしてコップホルダー１０の作用を説明する。
図４に示されるように、紙コップ１をコップホルダー１０のコップ嵌入部１２に嵌め込むことにより、コップホルダー１０と紙コップ１は一体になる。
紙コップ１が嵌め込まれたコップホルダー１０には第１折線１６、第２折線２０、第３折線２４、第４折線２８に対応する部分に紙コップ１がコップホルダー１０に接触しない隙間部３４が形成される。このため、第１折線１６、第２折線２０、第３折線２４、第４折線２８に対応する部分を持てば隙間部３４の存在により紙コップ１に熱い飲み物が入っていても飲み物の熱が手の指に伝わり難い。
従って、本考案のコップホルダー１０を使用すれば熱い飲み物が入っている紙コップ１でも容易に持つことができる。
また、前記コップホルダー１０を構成する紙シート１１は扁平なシート状の紙であるので各種印刷を容易に行うことができる。
従って、前記紙コップ１が無地や既製品のものであっても宣伝広告等を印刷した前記コップホルダー１０を使用することにより経済的に宣伝広告等をすることができる。
なお、図５に示されるように前記紙コップ１をコップホルダー１０のコップ嵌入部１２に嵌め込んだ場合は紙コップ１の下端部１Ｂよりも外側にコップホルダー１０の四角錐筒状の下端部１０Ｂが位置することになる。
従って、前記紙コップ１が嵌め込まれたコップホルダー１０をテーブル等の上に置いた場合は前記コップホルダー１０の四角錐筒状の下端部１０Ｂがテーブル等に当接するので、紙コップ１をより安定した状態でテーブル等に置くことができ、紙コップ１を倒れ難くすることができる。
【０００９】
なお、前記実施例ではコップとして紙コップ１を使用した場合を示したが、コップは紙コップ１に限定されるものではなく例えばプラスチック製のコップ等でもよいことは勿論である。
【図面の簡単な説明】
【００１０】
【図１】実施例のコップホルダーの平面図である。
【図２】実施例のコップホルダーの側面図である。
【図３】実施例のコップホルダーを形成する紙シートの展開図である。
【図４】実施例のコップホルダーに紙コップを嵌め込んだ状態の斜視図である。
【図５】実施例のコップホルダーに紙コップを嵌め込んだ状態の底面図である。
【符号の説明】
【００１１】
１０    コップホルダー
１１    紙シート
１２    コップ嵌入部
１４    第１側板部
１６    第１折線
１８    第２側板部
２０    第２折線
２２    第３側板部
２４    第３折線
２６    第４側板部
２８    第４折線
３０    糊代片部
３４    隙間部
【図１】
0003123133.tif 000003
【図２】
0003123133.tif 000004
【図３】
0003123133.tif 000005
【図４】
0003123133.tif 000006
【図５】
0003123133.tif 000007